(57)【要約】【課題】  リモコン装置の紛失の恐れの低減されたプロジェクタを提供することを目的とする。【解決手段】  データ上の画像を記憶しておくメモリ１０１と、画像を投影する投影レンズ１０２とを備え、メモリ１０１に記憶された画像を読み出し可視化して可視化された画像を投影レンズ１０２を介してスクリーン３００上に投影するプロジェクタ本体１００と、プロジェクタ本体１００をリモート操作するリモートコントローラ２００とを備えたプロジェクタ１において、プロジェクタ本体１００が、装着されたリモートコントローラ２００によりプロジェクタ本体１００の投影レンズ１０２前面が覆われる位置にリモートコントローラ２００を着脱自在に装着するリモコン装着部１０３を備えた。【選択図】        図１
2006154260.tif 000002
【特許請求の範囲】
【請求項１】
データ上の画像を記憶しておくメモリと画像を投影する投影レンズとを備え該メモリに記憶された画像を読み出し可視化して可視化された画像を該投影レンズを介してスクリーン上に投影するプロジェクタ本体と、該プロジェクタ本体をリモート操作するリモートコントローラとを備えたプロジェクタにおいて、
前記プロジェクタ本体が、装着されたリモートコントローラにより該プロジェクタ本体の前記投影レンズ前面が覆われる位置に該リモートコントローラを着脱自在に装着するリモコン装着部を備えたことを特徴とするプロジェクタ。
【請求項２】
前記リモートコントローラが、前記リモコン装着部に装着されたことを受けて前記プロジェクタ本体への電力供給をオフする電源制御部を備えたことを特徴とする請求項１記載のプロジェクタ。
【請求項３】
前記リモートコントローラが、画像が記憶された可搬型記憶媒体が着脱自在に装着されてアクセスされる媒体ドライブと、前記リモコン装着部から取り外された状態において、前記媒体ドライブに装着された可搬型記憶媒体から読み出された画像を前記プロジェクタ本体に送信する送信部とを備え、
前記プロジェクタ本体が、前記リモートコントローラから送信されてきた画像を受信して前記メモリに記憶する受信部を備えたことを特徴とする請求項１記載のプロジェクタ。
【請求項４】
前記リモートコントローラが、画像が記憶された可搬型記憶媒体が着脱自在に装着されてアクセスされる媒体ドライブと、前記リモコン装着部に装着された状態において、前記媒体ドライブに装着された可搬型記憶媒体から読み出された画像を前記プロジェクタ本体に伝送する伝送部とを備え、
前記プロジェクタ本体が、前記リモートコントローラから伝送されてきた画像を受け取って前記メモリに記憶する画像受取部を備えたことを特徴とする請求項１記載のプロジェクタ。
【請求項５】
前記リモートコントローラが、該リモートコントローラ作動用の二次電池を備え、前記プロジェクタ本体が、前記リモコン装着部に装着されたリモートコントローラの二次電池を充電する充電部を備えたことを特徴とする請求項１記載のプロジェクタ。
【請求項６】
前記リモートコントローラが、撮像素子を有し該撮像素子上に前記プロジェクタ本体から投影されたスクリーン上の画像を結像して該画像を表す画像信号を得該画像信号に基づいてスクリーン上の画像のピントを検出するピント検出部と、前記ピント検出部で検出されたピント状態を表す情報を前記プロジェクタ本体に送信するピント状態送信部とを備え、
前記プロジェクタ本体が、前記リモートコントローラから送信されてきたピント状態を表す情報に基づいて、前記投影レンズの少なくとも一部の構成要素を、スクリーン上に投影された画像のピントを合わせるべく駆動するピント調整部を備えたことを特徴とする請求項１記載のプロジェクタ。
【請求項７】
前記リモートコントローラが、撮像素子を有し該撮像素子上に前記プロジェクタ本体から投影されたスクリーン上の画像を結像して該画像を表す画像信号を得該画像信号に基づいてスクリーン上の画像の台形歪みを検出する歪み検出部と、前記歪み検出部で検出された台形歪みの状態を表す情報を前記プロジェクタ本体に送信する歪み状態送信部とを備え、
前記プロジェクタ本体が、前記リモートコントローラから送信されてきた台形歪みの状態を表す情報に基づいて、スクリーン上に投影された画像の台形歪みを補正するキーストン補正部を備えたことを特徴とする請求項１記載のプロジェクタ。
【請求項８】
前記リモートコントローラが、撮像素子を有するものであり、かつ
前記送信部が、該撮像素子により撮影した画像を前記プロジェクタ本体に送信するものであることを特徴とする請求項３記載のプロジェクタ。
【発明の詳細な説明】
【技術分野】
【０００１】
本発明は、画像をスクリーン上に投影するプロジェクタ本体と該プロジェクタ本体をリモート操作するリモートコントローラとを備えたプロジェクタに関する。
【背景技術】
【０００２】
従来、電気機器などをリモート操作するリモートコントローラ、いわゆるリモコンを用いて電気機器などの操作性および利便性を向上させる技術が広く採用されている。例えば、カメラの分野において、カメラ本体と別体のリモコン装置を備え、リモコン装置に設けられたシャッタレリーズボタンを押すことによりカメラ本体のシャッタをリモート操作するようにしたカメラが開示されている（例えば、特許文献１参照。）。
【０００３】
しかし、このリモコン装置付きカメラではリモコン装置を常に携帯していなければならないので、持ち運びに不便であり、また、リモコン装置が紛失しやすいという問題がある。このような問題を解決するため、カメラ本体にリモコン装置専用の収納部を形成して携帯性を向上させたカメラが提案されているが、このようなリモコン装置専用の収納部を形成するとカメラ全体が大型となり操作性が低下する。
【０００４】
そこで、カメラ本体に着脱可能なレンズカバーの内部にリモコン装置を組み込むことにより、リモコン装置専用の収納部を省略したカメラが開示されている（例えば、特許文献２参照。）。しかし、このカメラの場合でもリモコン装置を紛失しやすいという問題は十分に解決されない。
【０００５】
プロジェクタの場合にもリモコン装置を備えることにより操作性および利便性を向上させることが考えられ、例えば、画像表示プロジェクタにおいて、装置本体後方からリモコンを操作した時に発光される赤外線を受光部で受光することができるようにして、装置本体後方からリモコンで遠隔操作することを可能とした画像表示プロジェクタが開示されている（例えば、特許文献３参照。）。
【特許文献１】特開平０２−０４８９３８号公報（第１−２頁、図１）
【特許文献２】特開平０７−２４４３３０号公報（第１−２頁、図１）
【特許文献３】実用新案登録第３０９３２８０号公報（第１−２頁、図１）
【発明の開示】
【発明が解決しようとする課題】
【０００６】
しかし、上記の画像表示プロジェクタにおいても、リモコン装置を紛失しやすいという問題がある。
【０００７】
本発明は、上記事情に鑑み、リモコン装置の紛失の恐れの低減されたプロジェクタを提供することを目的とする。
【課題を解決するための手段】
【０００８】
上記課題を解決する本発明のプロジェクタは、
データ上の画像を記憶しておくメモリと画像を投影する投影レンズとを備え該メモリに記憶された画像を読み出し可視化して可視化された画像を該投影レンズを介してスクリーン上に投影するプロジェクタ本体と、該プロジェクタ本体をリモート操作するリモートコントローラとを備えたプロジェクタにおいて、
上記プロジェクタ本体が、装着されたリモートコントローラにより該プロジェクタ本体の上記投影レンズ前面が覆われる位置に該リモートコントローラを着脱自在に装着するリモコン装着部を備えたことを特徴とする。
【０００９】
本発明のプロジェクタによれば、プロジェクタ本体の投影レンズ前面がリモートコントローラにより覆われる位置にリモートコントローラを着脱自在に装着するリモコン装着部を備えたことにより、遠隔操作を行わない時にはリモートコントローラをリモコン装着部に装着してレンズカバーとして機能させ、遠隔操作を行う時にはレンズカバー（リモートコントローラ）をリモコン装着部から取り外してリモートコントローラとして機能させることができるので、投影レンズの保護とリモートコントローラの紛失の恐れの低減されたプロジェクタを実現することができる。
【００１０】
ここで、上記リモートコントローラが、上記リモコン装着部に装着されたことを受けて上記プロジェクタ本体への電力供給をオフする電源制御部を備えたものであってもよい。
【００１１】
本発明のプロジェクタを上記のように構成した場合は、リモートコントローラをリモコン装着部に装着することによりプロジェクタ本体の電源を自動的にオフすることができるので、プロジェクタ本体の電源の切り忘れが防止され、プロジェクタの利便性を向上させることができる。
【００１２】
また、上記リモートコントローラが、画像が記憶された可搬型記憶媒体が着脱自在に装着されてアクセスされる媒体ドライブと、上記リモコン装着部から取り外された状態において、上記媒体ドライブに装着された可搬型記憶媒体から読み出された画像を上記プロジェクタ本体に送信する送信部とを備え、上記プロジェクタ本体が、上記リモートコントローラから送信されてきた画像を受信して上記メモリに記憶する受信部を備えたものであってもよい。
【００１３】
本発明のプロジェクタを上記のように構成した場合は、リモコン装着部から取り外された状態のリモートコントローラにより、可搬型記憶媒体に記憶されている画像を読み出してプロジェクタ本体に送信することができるので、画像の読出しが容易になりプロジェクタの操作性および利便性をさらに向上させることができる。
【００１４】
また、上記リモートコントローラが、画像が記憶された可搬型記憶媒体が着脱自在に装着されてアクセスされる媒体ドライブと、上記リモコン装着部に装着された状態において、上記媒体ドライブに装着された可搬型記憶媒体から読み出された画像を上記プロジェクタ本体に伝送する伝送部とを備え、上記プロジェクタ本体が、上記リモートコントローラから伝送されてきた画像を受け取って上記メモリに記憶する画像受取部を備えたものであってもよい。
【００１５】
本発明のプロジェクタを上記のように構成した場合は、媒体ドライブに装着された可搬型記憶媒体から読み出された画像をリモートコントローラからプロジェクタ本体に送信することができるので、プロジェクタの操作性および利便性を一層向上させることができる。
【００１６】
また、上記リモートコントローラが、該リモートコントローラ作動用の二次電池を備え、上記プロジェクタ本体が、上記リモコン装着部に装着されたリモートコントローラの二次電池を充電する充電部を備えたものであってもよい。
【００１７】
本発明のプロジェクタを上記のように構成した場合は、上記充電部によりリモートコントローラの二次電池が自動的に充電されるので、プロジェクタの操作性および利便性を一層向上させることができる。
【００１８】
また、上記リモートコントローラが、撮像素子を有し該撮像素子上に上記プロジェクタ本体から投影されたスクリーン上の画像を結像して該画像を表す画像信号を得該画像信号に基づいてスクリーン上の画像のピントを検出するピント検出部と、上記ピント検出部で検出されたピント状態を表す情報を上記プロジェクタ本体に送信するピント状態送信部とを備え、上記プロジェクタ本体が、上記リモートコントローラから送信されてきたピント状態を表す情報に基づいて、上記投影レンズの少なくとも一部の構成要素を、スクリーン上に投影された画像のピントを合わせるべく駆動するピント調整部を備えたものであってもよい。
【００１９】
本発明のプロジェクタを上記のように構成した場合は、スクリーン上に投影された画像のピント合わせ操作を簡単に行うことがきるので、プロジェクタの操作性および利便性をさらに向上させることができる。
【００２０】
さらに、上記リモートコントローラが、撮像素子を有し該撮像素子上に上記プロジェクタ本体から投影されたスクリーン上の画像を結像して該画像を表す画像信号を得該画像信号に基づいてスクリーン上の画像の台形歪みを検出する歪み検出部と、上記歪み検出部で検出された台形歪みの状態を表す情報を上記プロジェクタ本体に送信する歪み状態送信部とを備え、上記プロジェクタ本体が、上記リモートコントローラから送信されてきた台形歪みの状態を表す情報に基づいて、スクリーン上に投影された画像の台形歪みを補正するキーストン補正部を備えたものであってもよい。
【００２１】
本発明のプロジェクタを上記のように構成した場合は、スクリーン上に投影された画像の台形歪み補正操作を簡単に行うことがきるので、プロジェクタの操作性および利便性をさらに向上させることができる。
【００２２】
また、上記リモートコントローラが、撮像素子を有するものであり、かつ
上記送信部が、該撮像素子により撮影した画像を上記プロジェクタ本体に送信するものであってもよい。
【００２３】
本発明のプロジェクタを上記のように構成した場合は、リモートコントローラの撮像素子により撮影した画像を上記送信部によりプロジェクタ本体に送信し、送信された画像をプロジェクタ本体の受信部により受信し上記メモリに記憶させ、投影レンズにより画像を投影することがきるので、プロジェクタの利便性をさらに向上させることができる。
【発明の効果】
【００２４】
以上説明したように本発明のプロジェクタによれば、リモコン装置の紛失の恐れの低減されたプロジェクタを実現することができる。
【発明を実施するための最良の形態】
【００２５】
以下図面を参照して本発明のプロジェクタの実施の形態を説明する。
【００２６】
図１は、本発明のプロジェクタの一実施形態を示すブロック図である。
【００２７】
図１に示すように、このプロジェクタ１は、データ上の画像を記憶しておくメモリ１０１と、画像を投影する投影レンズ１０２とを備え、メモリ１０１に記憶された画像を読み出し可視化して可視化された画像を投影レンズ１０２を介してスクリーン３００上に投影するプロジェクタ本体１００と、このプロジェクタ本体１００をリモート操作するリモートコントローラ２００とを備えており、上記プロジェクタ本体１００は、装着されたリモートコントローラ２００によりプロジェクタ本体１００の投影レンズ１０２前面が覆われる位置にリモートコントローラ２００を着脱自在に装着するリモコン装着部１０３を備えている。
【００２８】
ここで、このプロジェクタ本体１００による基本的な投影動作について説明する。このプロジェクタ本体１００は、プロジェクタ本体１００内の各部の動作を制御するＣＰＵ１１０を備えており、メモリ１０１に記憶された画像データを読み出し、所定のフレームメモリデータに加工して表示フォーマット変換ユニット１１１に出力する。表示フォーマット変換ユニット１１１は、受け取った画像データを、例えば赤、緑、青の３色の原色信号Ｒ（レッド）、Ｇ（グリーン）、Ｂ（ブルー）に分解された、表示駆動コントローラ１１２に適した表示フォーマットに変換して表示デバイス１１３に出力する。
【００２９】
表示デバイス１１３には、例えば３色の液晶パネル１１４Ｒ、１１４Ｇ、１１４Ｂが備えられており、光源ランプ１１８からの光線は、例えば、赤の光線を分離するダイクロイックミラー１１５Ｒに入射され、ダイクロイックミラー１１５Ｒからの赤の反射光線がミラー１１６Ｒで反射されて赤の原色信号を表示する液晶パネル１１４Ｒに入射される。液晶パネル１１４Ｒでは、入射された光線が原色信号Ｒに応じて変調され原色信号Ｒの映像光が形成される。
【００３０】
また、ダイクロイックミラー１１５Ｒを透過した光線は、緑の光線を分離するダイクロイックミラー１１５Ｇに入射され、このダイクロイックミラー１１５Ｇからの緑の反射光線が、緑の原色信号Ｇを表示する液晶パネル１１４Ｇに入射される。さらにダイクロイックミラー１１４Ｇを透過した青の光線が、ミラー１１６Ｂおよび１１６Ｂ’で反射されて青の原色信号Ｂを表示する液晶パネル１１４Ｂに入射される。そして液晶パネル１１４Ｇ、１１４Ｂでは、それぞれ原色信号Ｇ、Ｂに応じて変調された映像光が形成される。
【００３１】
さらに、液晶パネル１１４Ｒ、１１４Ｇ、１１４Ｂで変調された原色信号Ｒ、Ｇ、Ｂの各映像光はクロスプリズム１１７に入射されてこれらの映像光が合成され、この合成された映像光が投影レンズ１０２を通じてスクリーン３００に投影される。この投影レンズ１０２は、モータにより光軸方向Ａに動く第１の可動部分を有しており、その第１の可動部分を動かすことによりピント調整ができるようになっている。また、この投影レンズ１０２は、２個のモータにより光軸方向Ａに交わる２方向に動く上記第１の可動部分とは異なる第２の可動部分を有しており、その第２の可動部分を動かすことによりキーストン補正を行うことができるようになっている。ピント調整およびキーストン補正の詳細については後述する。
【００３２】
以上のようにして、メモリ１０１に記憶された画像データから形成された、赤、緑、青の３色の原色信号Ｒ、Ｇ、Ｂは、液晶パネル１１４Ｒ、１１４Ｇ、１１４Ｂに表示され、この表示によって変調された映像光が合成され、投影レンズ１０２を介してスクリーン３００に投影される。
【００３３】
図２は、本発明のプロジェクタの第１の実施形態におけるリモコン装着部の一例を示す概要図である。
【００３４】
図２に示すように、この第１の実施形態のプロジェクタ本体１００は、装着されたリモートコントローラ２００によりプロジェクタ本体１００の投影レンズ１０２の前面が覆われる位置にリモートコントローラ２００を着脱自在に装着するリモコン装着部１０３＿１を備えている。このリモコン装着部１０３＿１は、リモートコントローラ２００側に設けられた断面Ｔ字状の突起部２００ａと係合する溝部１０３ａを有している。
【００３５】
リモートコントローラ２００の突起部２００ａをプロジェクタ本体１００の溝部１０３ａに係合させながらリモートコントローラ２００を矢印Ａ方向にスライドさせることにより、リモートコントローラ２００をプロジェクタ本体１００に装着したり取り外したりすることができる。
【００３６】
図３は、第１の実施形態のプロジェクタ本体に備えられたリモコン装着部の他の例を示す概要図である。
【００３７】
図３に示すように、第１の実施形態のプロジェクタ本体１００は、装着されたリモートコントローラ２００によりプロジェクタ本体１００の投影レンズ１０２の前面が覆われる位置にリモートコントローラ２００を着脱自在に装着するリモコン装着部１０３＿２を備えている。このリモコン装着部１０３＿２は、リモートコントローラ２００側に設けられた磁石部２００ｂに対向する位置に磁石部１０３ｂを有しており、さらに、リモートコントローラ２００側に設けられた凹部２００ｃに係合する凸部１０３ｃを有している。
【００３８】
リモートコントローラ２００の凹部２００ｃをプロジェクタ本体１００の凸部１０３ｃに係合させると磁力により、リモートコントローラ２００はプロジェクタ本体１００に確実に装着される。また、磁石の磁力以上の力で両者を引き離すことにより、リモートコントローラ２００をプロジェクタ本体１００から簡単に取り外すことができる。
【００３９】
図４は、第１の実施形態のプロジェクタ本体に備えられたリモコン装着部の他の例を示す概要図である。
【００４０】
図４に示すように、この実施形態のプロジェクタ本体１００には、装着されたリモートコントローラ２００によりプロジェクタ本体１００の投影レンズ１０２の前面が覆われる位置に、リモートコントローラ２００を着脱自在に装着するリモコン装着部１０３＿３が備えられている。
【００４１】
このリモコン装着部１０３＿３は突起部１０３ｄを有しており、一方、リモートコントローラ２００側には、上記突起部１０３ｄと係合する凹部２００ｄ（図示せず）が裏面に
形成された係合部２００ｅを有している。これにより、リモートコントローラ２００の凹部２００ｄをプロジェクタ本体１００の突起部１０３ｄに係合させて矢印Ａ方向に回転することにより、リモートコントローラ２００をプロジェクタ本体１００に確実に装着させることができる。また、リモートコントローラ２００を前記矢印Ａ方向とは反対方向に回転することにより係合が外れ、リモートコントローラ２００をプロジェクタ本体１００から簡単に取り外すことができる。
【００４２】
図５は、第１の実施形態のプロジェクタ本体に備えられたリモコン装着部のさらに他の例を示す概要図である。
【００４３】
図５に示すように、この実施形態のプロジェクタ本体１００には、装着されたリモートコントローラ２００によりプロジェクタ本体１００の投影レンズ１０２の前面が覆われる位置に、リモートコントローラ２００を着脱自在に装着するリモコン装着部１０３＿４が備えられている。
【００４４】
このリモコン装着部１０３＿４には、プロジェクタ本体１００とリモートコントローラ２００とを連結する蝶番１０３ｈが設けられている。図４には、リモートコントローラ２００が投影レンズ１０２の前面を覆う位置から、矢印Ａ方向に２７０度回転させることにより、投影レンズ１０２前面が解放された位置に移動させた状態が示されている。図示された状態では、リモートコントローラ２００を、例えば矢印Ｂ方向にスライドさせることにより、蝶番１０３ｈによるプロジェクタ本体１００との連結を解除することができるようになっている。
【００４５】
次に本発明の第２の実施形態について説明する。
【００４６】
第２の実施形態のプロジェクタ１は、図１に示すように、リモートコントローラ２００が、リモコン装着部１０３に装着されたことを受けて、プロジェクタ本体１００の各部への電力供給をオフする電源制御部１０４を備えている。
【００４７】
図６は、第２の実施形態のプロジェクタ本体に設けた電源スイッチの一例を示す概要図である。
【００４８】
図６に示した例では、図２に示したプロジェクタ本体１００のリモコン装着部１０３＿１に近接した位置に、リモートコントローラ２００が脱着されることによりオンオフされる接点部１０３ｆを有する電源スイッチ１０３ｅが設けられている。
【００４９】
この電源スイッチ１０３ｅは本発明にいう電源制御部１０４（図１参照）の一部を構成するものであり、リモートコントローラ２００を所定のＡ方向にスライドさせてプロジェクタ本体に脱着するのに伴い接点部１０３ｆがオンオフされることにより、光源ランプ１１８を含むプロジェクタ本体各部への電力供給がオンオフされるようになっている。
【００５０】
図７は、第２の実施形態のプロジェクタ本体に設けた電源スイッチの他の例を示す概要図である。
【００５１】
図７に示すように、この例では、図３に示したプロジェクタ本体１００のリモコン装着部１０３＿２に、リモートコントローラ２００が脱着されることによりオンオフされるリードスイッチ１０３ｇが設けられている。このリードスイッチ１０３ｇがリモートコントローラ２００の脱着に伴いオンオフされることにより、電源制御部１０４（図１参照）は、光源ランプ１１８を含むプロジェクタ本体各部への電力供給をオンオフするようになっている。
【００５２】
なお、図示省略するが、図４に示した回転式のリモコン装着部１０３＿３に、リモートコントローラ２００が脱着され矢印Ａ方向に回転することにより係合部２００ｅによりオンオフされる位置にスイッチを設け、そのスイッチがオンオフされることによって、電源制御部１０４（図１参照）が、光源ランプ１１８を含むプロジェクタ本体各部への電力供給をオンオフするようにしてもよい。
【００５３】
次に、上記各実施形態におけるプロジェクタ本体をリモート操作するリモートコントローラの基本的な動作について説明する。
【００５４】
図８は、本発明の各実施形態に共通なリモートコントローラの概要図である。
【００５５】
図８に示すように、このリモートコントローラ２００には、プロジェクタ本体１００の電源オンオフ、画像選択、ピント調整、投影操作などのリモート操作を行うための各操作ボタン２１１ａとＬＣＤ（Ｌｉｑｕｉｄ  Ｃｒｙｓｔａｌ  Ｄｉｓｐｌａｙ）による表示画面２１１ｂとを有する操作部２１１（図１参照）、可搬型記憶媒体が装填される媒体装填口２０１ａなどが備えられている。
【００５６】
このプロジェクタの操作者は、装填口２０１ａに装着された可搬型記憶媒体から読み出された画像データを表示画面２１１ｂに表示し、その表示画面２１１ｂを見ながら各操作ボタン２１１ａを操作することにより、プロジェクタ本体１００による投影動作をリモート操作することができる。
【００５７】
図９は、本発明の各実施形態のリモートコントローラの表示画面の概要図である。
【００５８】
図９に示すように、この表示画面２１１ｂには、プロジェクタ本体１００により投影されるべき画像データのデータ番号、ファイル名、またはサムネイルなどを表示することができるようになっており、各操作ボタン２１１ａ（図８参照）を押下することにより、例えば図示のようにデータ番号６に対応する画像データを選択することができるようになっている。
【００５９】
また、図８に示したリモートコントローラ２００には、可搬型記憶媒体４００が装填される媒体装填口２０１ａが備えられており、さらに、図１に示すように、このリモートコントローラの内部には、各部の動作を制御するためのＣＰＵ２１０、各部に電源を供給する二次電池２０４なども備えられている。
【００６０】
このリモートコントローラ２００の操作ボタン２１１ａ（図９参照）を操作者が操作することにより、ＣＰＵ２１０ではリモート操作信号が生成され、そのリモート操作信号が送信部２０２（図１参照）からプロジェクタ本体１００に向けて送信される。送信されたリモート操作信号は、プロジェクタ本体１００の受信部１０５で受信され、プロジェクタ本体１００内部のＣＰＵ１１０（図１参照）で解読され、操作者の意志が反映された命令が実行される。
【００６１】
次に、本発明の第３の実施形態について説明する。
【００６２】
第３の実施形態のプロジェクタ１では、図１に示すように、リモートコントローラ２００が、画像が記憶された可搬型記憶媒体４００が着脱自在に装着されてアクセスされる媒体ドライブ２０１と、リモコン装着部１０３から取り外された状態において、媒体ドライブ２０１に装着された可搬型記憶媒体４００から読み出された画像をプロジェクタ本体１００に送信する送信部２０２とを備え、プロジェクタ本体１００が、リモートコントローラ２００から送信されてきた画像を受信してメモリ１０１に記憶する受信部１０５を備えている。
【００６３】
このように、第３の実施形態のプロジェクタ１では、送信部２０２および受信部１０５は、リモートコントローラ２００がリモコン装着部１０３から取り外された状態において、画像信号の送受信を行うことができるようになっているので、優れた操作性を有するプロジェクタを得ることができる。
【００６４】
上記の可搬型記憶媒体４００および媒体ドライブ２０１としては、例えばメモリカードなど、磁気的または光学的に記憶が行なわれる可搬型記憶媒体およびその媒体ドライブであればどのようなタイプのものを用いてもよい。
【００６５】
また、上記送信部２０２および受信部１０５としては、赤外線通信方式、超音波通信方式、あるいは無線通信方式のいずれの通信方式を採用してもよい。
【００６６】
次に、本発明の第４の実施形態について説明する。
【００６７】
第４の実施形態のプロジェクタ１では、図１に示すように、リモートコントローラ２００が、画像が記憶された可搬型記憶媒体４００が着脱自在に装着されてアクセスされる媒体ドライブ２０１と、リモコン装着部１０３に装着された状態において、媒体ドライブ２０１に装着された可搬型記憶媒体４００から読み出された画像をプロジェクタ本体１００に伝送する伝送部２０３とを備え、プロジェクタ本体１００が、リモートコントローラ２００から伝送されてきた画像を受け取ってメモリ１０１に記憶する画像受取部１０６を備えている。
【００６８】
このように構成したことにより、リモートコントローラ２００がリモコン装着部１０３に装着された状態で、伝送部２０３と画像受取部１０６とはリモコン装着部１０３を介して接続され、可搬型記憶媒体４００から読み出された画像がプロジェクタ本体１００に自動的に伝送されるので、優れた操作性を有するプロジェクタを得ることができる。
【００６９】
次に、本発明の第５の実施形態について説明する。
【００７０】
第５の実施形態のプロジェクタ１では、図１に示すように、リモートコントローラ２００が、リモートコントローラ作動用の二次電池２０４を備え、プロジェクタ本体１００が、リモコン装着部１０３に装着されたリモートコントローラ２００の二次電池２０４を充電する充電部１０７を備えている。
【００７１】
このように、本実施形態によれば、リモートコントローラ側の二次電池は、リモートコントローラ２００がプロジェクタ本体１００に装着されている間に自動的に充電されるので、操作性の優れたプロジェクタを得ることができる。
【００７２】
次に、本発明の第６の実施形態について説明する。
【００７３】
第６の実施形態のプロジェクタ１では、図１に示すように、リモートコントローラ２００が、撮像素子２０５を備え、撮像素子２０５上にプロジェクタ本体１００から投影されたスクリーン３００上の画像３００ａを結像してその画像を表す画像信号２０５ａを得、その画像信号２０５ａに基づいてスクリーン３００上の画像３００ａのピントを検出するピント検出部２０６と、ピント検出部２０６で検出されたピント状態を表す情報２０６ａをプロジェクタ本体１００に送信するピント状態送信部２０７とを備え、プロジェクタ本体１００が、リモートコントローラ２００から送信されてきたピント状態を表す情報２０６ａに基づいて、投影レンズ１０２の少なくとも一部の構成要素を、スクリーン３００上に投影された画像３００ａのピントを合わせるべく駆動するピント調整部１０８を備えている。
【００７４】
すなわち、リモートコントローラ２００（図８参照）に備えられた所定の操作ボタン２１１ａが押下されると、撮像素子２０５（図１参照）によりスクリーン３００上に投影された画像３００ａが撮影され、その画像信号２０５ａはピント検出部２０６に送られる。ピント検出部２０６では、画像３００ａのピントが検出され、ピント状態を表す情報２０６ａがピント状態送信部２０７によりプロジェクタ本体１００のピント調整部１０８に送信される。
【００７５】
ピント状態を表す情報２０６ａとしては、例えば画像３００ａのコントラストなどを用いることができる。すなわち、その場合には、画像３００ａの全画素について隣り合う画素間の画像濃度の差を求め、その絶対値の総和を画像コントラストとして用いることができる。ピント調整部１０８は、リモートコントローラから送信されてきたピント状態を表す情報２０６ａ、例えば画像コントラストが最大となるように、投影レンズ１０２の少なくとも一部の構成要素を駆動することにより、スクリーン３００上に投影された画像３００ａのピントが調整される。
【００７６】
次に、本発明の第７の実施形態について説明する。
【００７７】
第７の実施形態のプロジェクタ１では、図１に示すように、リモートコントローラ２００が、撮像素子２０５を備え、撮像素子２０５上にプロジェクタ本体１００から投影されたスクリーン３００上の画像３００ａを結像してその画像を表す画像信号２０５ａを得、その画像信号２０５ａに基づいてスクリーン３００上の画像３００ａの台形歪みを検出する歪み検出部２０８と、歪み検出部２０８で検出された台形歪みの状態を表す情報２０８ａをプロジェクタ本体１００に送信する歪み状態送信部２０９とを備え、プロジェクタ本体１００が、リモートコントローラ２００から送信されてきた台形歪みの状態を表す情報２０８ａに基づいて、スクリーン３００上に投影された画像３００ａの台形歪みを補正するキーストン補正部１０９を備えている。
【００７８】
図１０は、スクリーンとプロジェクタとの相対的位置関係を示す図であり、図１１は、スクリーン上に投影された画像が台形歪みを生じた状態を示す図である。
【００７９】
一般に、液晶プロジェクタやフィルムプロジェクタなどの画像をスクリーン上に投影する装置においては、図１０に示すように、スクリーン３００に対するプロジェクタ１００の相対的位置関係によっては、図１１に示すように、スクリーン３００上に投影された画像３００ａが台形状に歪むことがある。
【００８０】
図１２は、本発明の第７の実施形態のプロジェクタにおけるキーストン補正方法の概要図である。
【００８１】
台形歪みを補正するキーストン補正装置としては種々の方式が提案されており、例えば投影レンズを構成するレンズ群の一部をレンズの光軸に交わる方向に駆動することにより補正する機械的な方法や、画像処理装置を用いて画像データを電子的に補正する方法などが知られている。
【００８２】
本実施形態のキーストン補正方法としては、例えば、図１２に破線で示すように、台形歪みの生じた歪み画像３０１全体の外形の４隅の座標Ａ，Ｂ，Ｃ，Ｄを検出し、画像処理装置を用いてそれらの各座標が正四角形の４隅の座標Ａ’，Ｂ’，Ｃ’，Ｄ’となるように、画像３０１全体の各画素の座標変換を行うことにより正しい画像３０２を得ることができる。
【００８３】
すなわち、リモートコントローラ２００（図８参照）に備えられた所定の操作ボタン２１１ａが押下されると、撮像素子２０５（図１参照）によりスクリーン３００上に投影された画像３００ａが撮影され、その画像信号２０５ａは歪み検出部２０８に送られる。歪み検出部２０８では、画像３００ａの歪み状態が検出され、歪み状態を表す情報２０８ａが歪み状態送信部２０９によりプロジェクタ本体１００のキーストン補正部１０９に送信される。
【００８４】
キーストン補正部１０９は、リモートコントローラから送信されてきた歪み状態を表す情報２０８ａに基づき、図１２に破線で示したような歪み画像３０１が正しい画像３０２となるように画像全体の各画素の座標変換が行われ、スクリーン３００上に投影された画像３００ａの台形歪みが補正される。
【００８５】
次に、本発明の第８の実施形態について説明する。
【００８６】
第８の実施形態のプロジェクタでは、リモートコントローラ２００（図１参照）が、撮像素子２０５を有しており、かつ、送信部２０２が、撮像素子２０５により撮影した画像をプロジェクタ本体１００に送信するようになっている。
【００８７】
図１３は、本発明の第８の実施形態のプロジェクタの動作を示す図である。
【００８８】
図１３（ａ）に示すように、プロジェクタ本体１００から取り外されたリモートコントローラ２００に内蔵された撮像素子２０５（図１参照）により、人物などの被写体５００を撮影し、その撮影画像を送信部２０２（図１参照）によりプロジェクタ本体１００の受信部１０５（図１参照）に送信する。受信部１０５で受信された画像はメモリ１０１（図１参照）に記憶される。メモリ１０１に記憶された画像は可視化され、投影レンズ１０２（図１参照）を介してスクリーン上（図１参照）に投影される。
【００８９】
なお、図１３（ｂ）に示すように、プロジェクタ本体１００から取り外されたリモートコントローラ２００を、図示のようなスタンド２２０に取り付けて書類などの被写体５０１を撮影できるようにしてもよい。
【００９０】
このように、本実施形態のプロジェクタによれば、リモートコントローラにより被写体を撮影し、その撮影画像をプロジェクタ本体に送信してスクリーン上に投影することができる。
【図面の簡単な説明】
【００９１】
【図１】本発明のプロジェクタの一実施形態を示すブロック図である。
【図２】本発明のプロジェクタの第１の実施形態におけるリモコン装着部の一例を示す概要図である。
【図３】第１の実施形態のプロジェクタ本体に備えられたリモコン装着部の他の例を示す概要図である。
【図４】第１の実施形態のプロジェクタ本体に備えられたリモコン装着部の他の例を示す概要図である。
【図５】第１の実施形態のプロジェクタ本体に備えられたリモコン装着部のさらに他の例を示す概要図である。
【図６】第２の実施形態のプロジェクタ本体に設けた電源スイッチの一例を示す概要図である。
【図７】第２の実施形態のプロジェクタ本体に設けた電源スイッチの他の例を示す概要図である。
【図８】本発明の各実施形態に共通なリモートコントローラの概要図である。
【図９】本発明の各実施形態のリモートコントローラの表示画面の概要図である。
【図１０】スクリーンとプロジェクタとの相対的位置関係を示す図である。
【図１１】スクリーン上に投影された画像が台形歪みを生じた状態を示す図である。
【図１２】本発明の第７の実施形態のプロジェクタにおけるキーストン補正方法の概要図である。
【図１３】本発明の第８の実施形態のプロジェクタの動作を示す図である。
【符号の説明】
【００９２】
１    プロジェクタ
１００    プロジェクタ本体
１０１    メモリ
１０２    投影レンズ
１０３    リモコン装着部
２００    リモートコントローラ
３００    スクリーン
【図１】
2006154260.tif 000003
【図２】
2006154260.tif 000004
【図３】
2006154260.tif 000005
【図４】
2006154260.tif 000006
【図５】
2006154260.tif 000007
【図６】
2006154260.tif 000008
【図７】
2006154260.tif 000009
【図８】
2006154260.tif 000010
【図９】
2006154260.tif 000011
【図１０】
2006154260.tif 000012
【図１１】
2006154260.tif 000013
【図１２】
2006154260.tif 000014
【図１３】
2006154260.tif 000015